(57)【特許請求の範囲】
【請求項１】
帯状または板状をなし、直接または張り部材を介して間接に着座者の身体に接して着座者の荷重を受ける身体保持部と、
前記身体保持部を支持するフレーム部と、
前記身体保持部の端部と前記フレーム部との間に介在して両者を接続するとともに、弾性変形を通じて身体保持部の端部とフレーム部との距離を拡縮させる伸縮部と
を樹脂一体成形して設けており、
樹脂製の伸縮部が身体保持部の前面よりも前方に突き出さず、前面にクッションを取着することなしに着座者の背中を支える椅子の背凭れを構成する背凭れ部材。
【請求項２】
伸縮部は前後または左右方向に突没した形状で左右、上下または前後方向に伸縮する襞状をなす請求項１記載の背凭れ部材。
【請求項３】
伸縮部は身体保持部及びフレーム部よりも弾性率が高い請求項１または２記載の背凭れ部材。
【請求項４】
フレーム部を左右に対をなして設け、その間の領域に身体保持部を設けるとともに、身体保持部の左端部または右端部を伸縮部を介してフレーム部に接続している請求項１、２または３記載の背凭れ部材。
【請求項５】
着座者の背部を支持する身体保持部とフレーム部との間に伸縮部を介在させる一方、着座者の腰部を支持する身体保持部とフレーム部との間には伸縮部を介在させていない請求項１、２、３または４記載の背凭れ部材。
【請求項６】
着座者の身体の比較的下方の部位を支持する身体保持部に連なる伸縮部よりも、着座者の身体の比較的上方の部位を支持する身体保持部に連なる伸縮部の方が伸縮可能量が大きい請求項１、２、３、４または５記載の背凭れ部材。
【請求項７】
左端部が左方のフレーム部の上端部に接続し右端部が右方のフレーム部の上端部に接続する身体保持部を設け、
かつ左右のフレーム部同士を連結する連結体を設けており、その連結体が湾曲または屈曲して身体保持部から後方に離間している請求項４記載の背凭れ部材。
【請求項８】
フレーム部を上下に対をなして設け、その間の領域に身体保持部を設けるとともに、身体保持部の上端部または下端部を伸縮部を介してフレーム部に接続している請求項１、２または３記載の背凭れ部材。
【請求項９】
請求項１、２、３、４、５、６、７または８記載の背凭れ部材を用いてなる背凭れを有する椅子。
【発明の詳細な説明】
【技術分野】
【０００１】
本発明は、椅子の背凭れの構成部材に関する。
【背景技術】
【０００２】
オフィス等で使用される椅子には種々の態様のものが存在する。背凭れに着目しても、フレームに伸縮性に富むメッシュ素材の張材を張設したもの（例えば、下記非特許文献１を参照）や、シェルの前面にクッションを取着したもの（例えば、下記非特許文献２を参照）、硬質樹脂板を主体としたもの（例えば、下記非特許文献３を参照）等、様々である。
【非特許文献１】“ＦＯＳＴＥＲ  ＥＴＨＯＳ”，コクヨ総合カタログ２００８年版ファニチャー編，コクヨ株式会社，平成１９年１２月，ｐ．３２０−３２３
【非特許文献２】“ＳＥＤＩＳＴＡ”，コクヨ総合カタログ２００８年版ファニチャー編，コクヨ株式会社，平成１９年１２月，ｐ．３５６−３５９
【非特許文献３】“Ｐｒｏｔｔｙ”，コクヨ総合カタログ２００８年版ファニチャー編，コクヨ株式会社，平成１９年１２月，ｐ．３９２−３９３
【発明の開示】
【発明が解決しようとする課題】
【０００３】
着座者の身体を支持する背凭れ面を樹脂成形部材単体で構成すれば、張材を張設したりクッションを取着したりするものに比べて製造コストを低減できる。
【０００４】
だが、従前の如き硬質樹脂板では、背凭れ面の可変形性及び弾力性を具現することは不可能であり、椅子の座り心地の面で不利となる。
【０００５】
以上の問題に着目してなされた本発明は、樹脂一体成形の背凭れ部材に実効的に可変形性及び弾力性を付与することを所期の目的としている。
【課題を解決するための手段】
【０００６】
上述した課題を解決するべく、本発明では、帯状または板状をなし、直接または張り部材を介して間接に着座者の身体に接して着座者の荷重を受ける身体保持部と、前記身体保持部を支持するフレーム部と、前記身体保持部の端部と前記フレーム部との間に介在して両者を接続するとともに、弾性変形を通じて身体保持部の端部とフレーム部との距離を拡縮させる伸縮部とを樹脂一体成形し、樹脂製の伸縮部が身体保持部の前面よりも前方に突き出さず、前面にクッションを取着することなしに着座者の背中を支える椅子の背凭れを構成することとした。
【０００７】
即ち、伸縮部の伸長により身体保持部をフレーム部に対して相対変位可能とし、それとともに着座者の身体の荷重に応じた弾性反発力を発揮できるようにしたのである。このようなものであれば、比較的低コストで製造できる上、背凭れ面の可変形性及び弾力性も確保される。また、伸縮部は身体保持部の端部に連なって存在することから、着座者の身体に触れにくく座り心地の妨げとなりにくい。
【０００８】
伸縮部は、例えば前後または左右方向に突没した形状で左右、上下または前後方向に伸縮する襞状に成形する。
【０００９】
伸縮部を身体保持部の後方に湾出させ、身体保持部の前面よりも前方に突き出さないように成形すれば、伸縮部が着座者の身体に接触して違和感を与えることを回避できる。
【００１０】
より具体的には、フレーム部を左右に対をなして設け、その間の領域に身体保持部を設けるとともに、身体保持部の左端部または右端部を伸縮部を介してフレーム部に接続する。
【００１１】
着座者の背部を支持する身体保持部とフレーム部との間に伸縮部を介在させる一方、着座者の腰部を支持する身体保持部とフレーム部との間には伸縮部を介在させないようにすれば、腰部を支持する身体保持部は荷重を受けても後方に沈み込まず、ランバーサポート機能を実現することができる。
【００１２】
着座者の身体の比較的下方の部位を支持する身体保持部に連なる伸縮部よりも、着座者の身体の比較的上方の部位を支持する身体保持部に連なる伸縮部の方が伸縮可能量が大きいものとすれば、着座者が身体を預けるように凭れかかったときに着座者の背中を包み込むように背凭れ面形状を形作ることができる。
【００１３】
左端部が左方のフレーム部の上端部に接続し右端部が右方のフレーム部の上端部に接続する身体保持部を設け、かつ左右のフレーム部同士を連結する連結体を設けており、その連結体が湾曲または屈曲して身体保持部から後方に離間しているならば、背凭れ面の最上辺においても可変形性、弾力性を具現できる。
【００１４】
なお、フレーム部を上下に対をなして設け、その間の領域に身体保持部を設けるとともに、身体保持部の上端部または下端部を伸縮部を介してフレーム部に接続しても構わない。
【発明の効果】
【００１５】
本発明によれば、樹脂一体成形の背凭れ部材に弾力性及び可動性を付与することができ、この背凭れ部材を背凭れに用いた椅子の座り心地の向上に寄与し得る。
【発明を実施するための最良の形態】
【００１６】
以下、本発明の実施の形態を、図面を参照して説明する。図１に、本発明に係る背凭れ部材１を適用した椅子を示す。この椅子は、既存の椅子と同様、脚５と、脚５の上部に取り付けた支基４と、支基４に支持させた座３及び背凭れ２とを備えてなるもので、その背凭れ２を構成する主体として硬質樹脂一体成形品の背凭れ部材１を採用している。
【００１７】
図２等に示すように、背凭れ部材１は、着座者の身体と接触して着座者の荷重を受ける身体保持部１１と、身体保持部１１を支持するフレーム部１２、１３と、身体保持部１１の端部とフレーム部１２、１３との間に介在して両者を接続する伸縮部１４とを具備する。伸縮部１４は、弾性変形を通じて身体保持部１１の端部とフレーム部１２、１３との距離を拡縮させる。
【００１８】
＜第１実施形態＞図２ないし図４に示している背凭れ部材１では、上下方向に延伸した左右一対のフレーム部１２の上端部同士、下端部同士をそれぞれ左右方向に延伸したフレーム部１３で連結して正面視四方枠を構築し、その内周に左右方向に拡張した身体保持部１１を配しており、身体保持部１１の左右両端部とフレーム部１２との間に伸縮部１４を介在させて両者を接続している。
【００１９】
身体保持部１１は、フレーム部１２、１３と比べて可撓性を有し、前後の厚みが上下幅よりも薄い帯状をなす。図２に示すものでは、複数の身体保持部１１を上下方向に複数設けている。伸縮部１４は、これら帯状の身体保持部１１の左右両端部に連なり、そこから前後に突没するように折り畳まれた襞状（または、波状）をなす。伸縮部１４は後方に湾出しており、身体保持部１１の前面よりも前方には突き出さない。伸縮部１４は、身体保持部１１及びフレーム部１２、１３よりも弾性率が高い、即ち弾性変形して伸縮しやすい。身体保持部１１が着座者の身体の荷重を受けたとき、伸縮部１４の襞状部分が弾性変形により拡開することで伸長し、身体保持部１１の端部とフレーム部１２との距離を広げる。結果、身体保持部１１がフレーム部１２、１３に対し相対的に後方に変位する。同時に、伸縮部１４が、身体保持部１１を介して着座者の身体を前方へ押し返そうとする弾性反発力を発揮する。着座者が左方または右方に偏った姿勢で背凭れ１に凭れかかった場合、換言すれば偏荷重がかかった場合には、図４に例示するように、左右の伸縮部１４のうち一方が他方よりも大きく伸長して、背凭れ面が左方または右方に傾く。
【００２０】
上下に並んだ身体保持部１１及び伸縮部１４は、互いに独立している。そして、図３Ａ及び図３Ｂに例示するように、比較的上方に位置する伸縮部１４（図３Ａに示す）は、比較的下方に位置する伸縮部１４（図３Ｂに示す）に比して後方への湾出長が大きくなっており、その分伸縮可能量が大きい。故に、より上位にある身体保持部１１ほど、荷重を受けたときに深く後方に沈み込む。
【００２１】
また、各所の伸縮部１４毎の弾性率を変えることで、ある位置の身体保持部１１を沈み込みにくく、別の位置の身体保持部１１を沈み込みやすくすることも考えられる。伸縮部１４の弾性率を変えるには、襞状部分の湾出長や襞の数を変えたり、肉厚あるいは肉薄にしたり、伸縮部１４に付随させてリブ等の補強を成形したりする。
【００２２】
背凭れ部材１は椅子の本体側、通常は支基４に支持させる。左右のフレーム部１２、１３が十分な強度を有する場合、このフレーム部１２、１３を前下方に延長し、その延長端を支基４に固定または傾動可能に軸支させることができる。背凭れ部材１を直接支基４に支持させるのではなく、支基４に連結した金属製の背支桿等にフレーム部１２、１３を取り付けて、背凭れ部材１を支持させるようにしてもよい。
【００２３】
＜第２実施形態＞図５に示している背凭れ部材１では、着座者の腰部の高さ位置に対応する身体保持部１１ｘの両端部を、伸縮部１４を介さずに直接フレーム部１２に接続している。この身体保持部１１ｘは、荷重を受けても後方に沈み込まず、ランバーサポートとして機能する。
【００２４】
＜第３実施形態＞図６ないし図７に示している背凭れ部材１では、左右のフレーム部１２の上端部同士を連結するフレーム部１３を廃し、その替わりに身体保持部１１を架け渡している。この身体保持部１１もまた、端部を伸縮部１４を介してフレーム部１２に接続しており、着座者の身体の荷重をうけたときに伸縮部１４の伸長に伴って後方に変位する。
【００２５】
上辺のフレーム部１３を廃したことにより、左右のフレーム部１２の一方が他方に対して後傾し背凭れのねじれを招くおそれがあるので、左右両フレームを連結する連結体１５を別途設けることが好ましい。連結体１５は、硬質樹脂製、金属製等の材質を問わず、背凭れ部材１に一体成形しないで後付でフレーム部１２に取り付けるものとすることができる。図７に示すように、連結体１５は、左右の端部がそれぞれ左右のフレーム部１２に連結し、かつ中間部が平面視湾曲または屈曲して身体保持部１１から後方に離間しており、身体保持部１１に干渉せず身体保持部１１の後方への変位を許容する。
【００２６】
加えて、図６に示す背凭れ部材１では、上下に離間している身体保持部１１、１１ｘ同士を連結するように上下方向に拡張した帯状の身体保持部１１ｙを付け加えている。これにより、身体保持部１１、１１ｘ、１１ｙは、全体として正面視格子網状の背凭れ面を形作る。
【００２７】
＜第４実施形態＞図８に示している背凭れ部材１では、正面視斜め方向に拡張した帯状の身体保持部１１が全体として格子網状をなしている。身体保持部１１の端部とフレーム部１２、１３との間に伸縮部１４を介在させている点は、これまでのものと同じである。帯状の身体保持部１１の一部は、一端部が左方または右方のフレーム部１２に接続し、他端部が上方または下方のフレーム部１３に接続する。
【００２８】
＜第５実施形態＞図９に示している背凭れ部材１では、上下方向に拡張した帯状の身体保持部１１の上下両端部と、上下に対をなすフレーム部１３とを、伸縮部１４を介して接続している。
【００２９】
＜第６実施形態＞図１０に示している背凭れ部材１では、身体保持部１１が上下及び左右に拡張した板状をなしており、左右両端部と左右のフレーム部１２との間に伸縮部１４を介設し、及び／または、上下両端部と上下のフレーム部１３との間に伸縮部１４を介設してこれらを接続する。板状の身体保持部１１に、貫通孔やスリット等を穿設しても構わない。
【００３０】
＜第７実施形態＞図１１に示している背凭れ部材１では、フレーム部１２の内縁に沿って延伸した伸縮部１４を形成しており、この伸縮部１４に身体保持部１１の端部を連接している。
【００３１】
＜第８実施形態＞図１２に示している背凭れ部材１では、身体支持部１１の端部とフレーム部１２とが前後方向に偏倚しており、両者の間に伸縮部１４が介在する。これまでのものと異なり、この伸縮部１４は前後方向ではなく左右方向に突没する襞状をなすが、身体保持部１１の前面よりも前方に突き出すことはない。伸縮部１４は、身体支持部１１を介して着座者の身体の荷重を受けたときに圧縮され、身体保持部１１の後方への変位を許容するとともに、身体保持部１１を介して着座者の身体を前方へ押し返そうとする弾性反発力を発揮する。着座者が左方または右方に偏った姿勢で背凭れ１に凭れかかった場合、換言すれば偏荷重がかかった場合には、図１３に例示するように、左右の伸縮部１４のうち一方が他方よりも大きく圧縮されて、背凭れ面が左方または右方に傾く。
【００３２】
本実施形態によれば、着座者の荷重を受ける身体保持部１１と、前記身体保持部１１を支持するフレーム部１２、１３と、前記身体保持部１１の端部と前記フレーム部１２、１３との間に介在して両者を接続するとともに、弾性変形を通じて身体保持部１１の端部とフレーム部１２、１３との距離を拡縮させる伸縮部１４とを樹脂一体成形することとしたため、比較的低コストで製造できる上、背凭れ面の可変形性及び弾力性も確保される。また、伸縮部１４は身体保持部１１の端部に連なって存在することから、着座者の身体に触れにくく座り心地の妨げとなりにくい。
【００３３】
伸縮部１４を身体保持部１１の前面よりも前方に突き出さないように成形しており、伸縮部１４が着座者の身体に接触して違和感を与えることを回避できる。
【００３４】
フレーム部１２を左右に対をなして設け、その間の領域に身体保持部１１を設けるとともに、身体保持部１１の左端部または右端部を伸縮部１４を介してフレーム部１２に接続していれば、身体保持部１１の可撓性と相まって、左右方向の中央部を最も深く後方に沈み込ませることが可能となり、着座者の身体にフィットする。
【００３５】
着座者の背部を支持する身体保持部１１とフレーム部１２との間に伸縮部１４を介在させる一方、着座者の腰部を支持する身体保持部１１ｘとフレーム部１２との間には伸縮部１４を介在させないようにすれば、腰部を支持する身体保持部１１は荷重を受けても後方に沈み込まず、ランバーサポート機能を実現することができる。
【００３６】
着座者の身体の比較的下方の部位を支持する身体保持部１１に連なる伸縮部１４よりも、着座者の身体の比較的上方の部位を支持する身体保持部１１に連なる伸縮部１４の方が伸縮可能量が大きいものとすれば、着座者が身体を預けるように凭れかかったときに着座者の背中を包み込むように背凭れ面形状を形作ることができる。
【００３７】
左端部が左方のフレーム部１２の上端部に接続し右端部が右方のフレーム部１２の上端部に接続する身体保持部１１を設け、かつ左右のフレーム部１２同士を連結する連結体１５を別途設けており、その連結体１５が湾曲または屈曲して身体保持部１１から後方に離間していれば、背凭れ面の最上辺においても可変形性、弾力性を具現できる。
【００３８】
フレーム部１３を上下に対をなして設け、その間の領域に身体保持部１１を設けるとともに、身体保持部１１の上端部または下端部を伸縮部１４を介してフレーム部１３に接続していれば、身体支持部１１における上下方向の中間部を最も深く後方に沈み込ませることが可能となり、着座者の身体にフィットする。
【００３９】
なお、本発明は以上に詳述した実施形態に限られるものではない。上記実施形態では、身体保持部１１の両端部を伸縮部１４を介してフレーム部１２、１３に接続していたが、身体保持部１１の一方の端部にのみ伸縮部１４を介設し他方の端部は伸縮部１４を介さずに直接フレーム部１２、１３に接続する態様とることをを妨げない。
【００４０】
背凭れ部材１に、その前面及び／または後面を被覆する張り部材を被せてもよい。
【００４１】
その他各部の具体的構成は、本発明の趣旨を逸脱しない範囲で種々変形が可能である。
【図面の簡単な説明】
【００４２】
【図１】本発明に係る背凭れ部材を適用した椅子を示す正面図。
【図２】本発明の一実施形態の背凭れ部材の正面図。
【図３Ａ】同実施形態の背凭れ部材のＡ−Ａ線平端面図。
【図３Ｂ】同実施形態の背凭れ部材のＢ−Ｂ線平端面図。
【図４】同実施形態の背凭れ部材が偏荷重を受けた状態を例示する平端面図。
【図５】本発明の一実施形態の背凭れ部材の正面図。
【図６】本発明の一実施形態の背凭れ部材の正面図。
【図７】同実施形態の背凭れ部材のＣ−Ｃ線平端面図。
【図８】本発明の一実施形態の背凭れ部材の正面図。
【図９】本発明の一実施形態の背凭れ部材の正面図。
【図１０】本発明の一実施形態の背凭れ部材の正面図。
【図１１】本発明の一実施形態の背凭れ部材の正面図。
【図１２】本発明の一実施形態の背凭れ部材の平端面図。
【図１３】同実施形態の背凭れ部材が偏荷重を受けた状態を例示する平端面図。
【符号の説明】
【００４３】
１…背凭れ部材
１１、１１ｘ、１１ｙ…身体保持部
１２、１３…フレーム部
１４…伸縮部
１５…連結体
【図１】
0005521206.tif 000002
【図２】
0005521206.tif 000003
【図３Ａ】
0005521206.tif 000004
【図３Ｂ】
0005521206.tif 000005
【図４】
0005521206.tif 000006
【図５】
0005521206.tif 000007
【図６】
0005521206.tif 000008
【図７】
0005521206.tif 000009
【図８】
0005521206.tif 000010
【図９】
0005521206.tif 000011
【図１０】
0005521206.tif 000012
【図１１】
0005521206.tif 000013
【図１２】
0005521206.tif 000014
【図１３】
0005521206.tif 000015